(57)【要約】【課題】漁場（源流や渓谷を含む）を監視員が巡回する場合、監視員の憶測で、多々存在する源流や渓谷を闇雲に巡回しており、必要のない場所まで巡っていた。また、見渡しの悪い場所で遊漁している場合には、遊漁者を目視確認することは困難であった。【解決手段】源流・渓谷監視装置２０は、接近センサの出力を受けサーモグラフィ監視カメラで接近物映像を採取し、漁業協同組合システム３０に送信し、遊漁承認証デバイス１１から受信する承認番号或いは受信不可を送信し、前記システム３０は、映像が人物／動物の何れであるかをシルエット照合で判定し、人物であれば承認者番号の受信を指示し、受信した承認番号のユーザＤＢへの登録状況、承認開始日を調べ、登録され承認期間内である／否で遊漁承認者／密漁者を判定し、前記受信不可を受け、映像をシルエット照合し密漁者／遊漁以外者を判定し、結果を、前記監視装置２０の設置地区名と共に表示する。【選択図】      図１
2006268471.tif 000002
【特許請求の範囲】
【請求項１】
遊漁者が携行する遊漁承認証デバイスと、管理対象水域に設けられた複数の監視装置と、管理組織システムを含み、各監視装置と前記管理組織システムがネットワーク接続された密漁者自動認識システムであって、
前記遊漁承認証デバイスは、前記監視装置に電波を発信し遊漁者毎の承認番号を提供する手段を有し、
前記監視装置は、接近センサとサーモグラフィ監視カメラと受信機と制御部を備え、前記接近センサの出力を受け前記監視カメラで接近物の映像を採取し、前記管理組織システムに送信し、指示に応じ前記デバイスから承認番号の受信を行い、受信した承認番号或いは受信不可を前記管理組織システムに送信する手段を有し、
前記管理組織システムは、人物と動物の各シルエットを格納した人物／動物シルエットデータベース記憶と、漁具を携えた人物と、それを携えない人物の各シルエットを格納した密漁者／遊漁以外者シルエットデータベース記憶と、利用者の承認番号と承認開始日と個人情報とを保持するユーザデータベース記憶と、１台以上の処理装置と、表示装置とを含み、前記処理装置が、前記監視装置からの映像情報を、前記人物と動物の各シルエットと照合し、映像が人物／動物の何れであるかを判定する手段と、
人物であれば前記監視装置に承認者番号の受信を指示する手段と、
前記監視装置から承認番号を受信し、それで前記ユーザデータベース記憶を参照し、前記承認番号の登録チェックと、承認開始日による承認期間内かの判断を行い、登録され承認期間内か、それ以外かで遊漁承認者、密漁者と判定する手段と、
前記監視装置から受信不可を受信し、前記映像を前記密漁者／遊漁以外者シルエットデータベース記憶の各シルエットと照合し、密漁者、或いは遊漁以外者と判定する手段と、
判定結果を、前記映像を送信してきた監視装置の設置地区識別情報と共に表示する手段を有することを特徴とする密漁者自動認識システム。
【請求項２】
前記管理組織システムは、前記人物／動物シルエットデータベース記憶と前記密漁者／遊漁以外者シルエットデータベース記憶と前記ユーザデータベース記憶と第１の処理装置と第２の処理装置と表示装置とを含み、
前記第１の処理装置が、
前記監視装置からの映像情報を、前記人物と動物の各シルエットと照合し、映像が人物／動物の何れであるかを判定し、結果を前記第２の処理装置に渡す手段と、
前記映像を前記密漁者／遊漁以外者シルエットデータベース記憶の各シルエットと照合し、密漁者、或いは遊漁以外者と判定し、結果を前記第２の処理装置に渡す手段を有し、
前記第２の処理装置が、
人物であれば前記監視装置に承認者番号の受信を指示する手段と、
前記監視装置から承認番号を受信し、それで前記ユーザデータベース記憶を参照し、前記承認番号の登録チェックと前記承認期間内であるかの判断を行い、登録され承認期間内か、それ以外かで遊漁承認者、密漁者と判定する手段と、
前記監視装置から前記受信不可を受信し、前記第１の処理装置に前記映像の密漁者／遊漁以外者の判定を指示し、密漁者／遊漁以外者の判定結果を受ける手段と、
判定結果を、前記映像を送信してきた監視装置の設置地区識別情報と共に表示する手段を有することを特徴とする請求項１記載の密漁者自動認識システム。
【請求項３】
遊漁者が携行する遊漁承認証デバイスと、管理対象水域に設けられた複数の監視装置と、管理組織システムを含み、各監視装置と前記管理組織システムがネットワーク接続された密漁者自動認識システムであって、
前記遊漁承認証デバイスは、前記監視装置に電波を発信し遊漁者毎の承認番号を提供する手段を有し、
前記監視装置は、接近センサとサーモグラフィ監視カメラと受信機と制御部を備え、前記接近センサの検出を受け前記監視カメラで接近物の映像を採取し、前記管理組織システムに送信し、指示に応じ前記デバイスから承認番号の受信を行い、受信した承認番号或いは受信不可を前記管理組織システムに送信する手段を有し、
前記管理組織システムは、一人の人物と各複数人の人物と動物の各シルエットを格納した人物／動物シルエットデータベース記憶と、漁具を携えた一人及び各複数人の人物と、漁具を携えない一人及び各複数人の人物の各シルエットを格納した密漁者／遊漁以外者シルエットデータベース記憶と、利用者の承認番号と承認開始日とライセンス数と個人情報とを保持するユーザデータベース記憶と、１台以上の処理装置と、表示装置とを含み、
前記処理装置が、前記監視装置からの映像情報を、人物／動物シルエットデータベース記憶の各シルエットと照合し、映像が人物一人／人物複数／動物の何れであるかと人物複数の場合の人数とを判定する手段と、
人物一人であれば前記監視装置に承認者番号の受信を指示する手段と、
前記監視装置から承認番号を受信し、それで前記ユーザデータベース記憶を参照し、前記承認番号の登録チェックと、承認開始日によるまだ承認期間内かの判断を行い、登録され承認期間内か、それ以外かで遊漁承認者、密漁者と判定する手段と、
人物複数であれば、最大で前記判定した人数分の承認者番号の受信を前記監視装置に指示する手段と、
前記監視装置より受信する承認番号の全てについて、各承認番号で前記ユーザデータベース記憶を参照し、前記承認番号の登録チェックと前記承認期間内かの判定を行い、登録され承認期間内である承認番号に付随するライセンス数を合計し、前記人数が合計ライセンス数以内でかどうかで、人物複数を、遊漁承認者、密漁者と判定する手段と、
前記監視装置から前記受信不可を受信し、前記映像を前記密漁者／遊漁以外者シルエットデータベース記憶の各シルエットと照合し、密漁者、或いは遊漁以外者と判定する手段と、
判定結果を、前記映像を送信してきた前記監視装置の設置地区識別情報と共に表示する手段を有することを特徴とする密漁者自動認識システム。
【請求項４】
前記管理組織システムは、前記人物／動物シルエットデータベース記憶と前記密漁者／遊漁以外者シルエットデータベース記憶と前記ユーザデータベース記憶と第１の処理装置と第２の処理装置と表示装置とを含み、
前記第１の処理装置が、
前記監視装置からの映像情報を、前記人物／動物シルエットデータベース記憶の各シルエットと照合し、映像が人物一人／人物複数／動物の何れであるかと人物複数の場合の人数とを判定し、結果を前記第２の処理装置に渡す手段と、
前記映像を前記密漁者／遊漁以外者シルエットデータベース記憶の各シルエットと照合し、密漁者、或いは遊漁以外者と判定し、結果を前記第２の処理装置に渡す手段を有し、
前記第２の処理装置が、
人物一人であれば前記監視装置に承認者番号の受信を指示する手段と、
前記監視装置から承認番号を受信し、それで前記ユーザデータベース記憶を参照し、前記承認番号の登録チェックと前記承認期間内かの判断を行い、登録され承認期間内かそれ以外かで、遊漁承認者、密漁者と判定する手段と、
人物複数であれば、最大で前記判定した人数分の承認者番号の受信を、前記監視装置に指示する手段と、
前記監視装置より受信する承認番号の全てについて、各承認番号で前記ユーザデータベース記憶を参照し、前記承認番号の登録チェックと前記承認期間内かの判断を行い、登録され承認期間内である承認番号に付随するライセンス数を合計し、前記人数が合計ライセンス数以内であるかどうかで、人物複数を、遊漁承認者、密漁者と判定する手段と、
前記監視装置から前記受信不可を受信し、前記第１の処理装置に前記映像の密漁者／遊漁以外者の照合を指示し、密漁者／遊漁以外者の判定結果を受ける手段と、
判定結果を、前記映像を送信してきた前記監視装置の設置地区識別情報と共に表示する手段を有することを特徴とする請求項３記載の密漁者自動認識システム。
【請求項５】
前記処理装置が前記監視装置が設置された各地区を含む地図情報を格納したデータベースを有し、
前記表示する手段が、地図上で前記設置地区をマークした情報と、遊漁承認者か或いは承認番号が登録され承認期間外の密漁者の個人情報を表示することを特徴とする請求項１、又は３記載の密漁者自動認識システム。
【請求項６】
接近物を検出しその映像を採取し、接近物が携帯するデバイスから承認番号を受信する監視装置をネットワーク接続する管理組織システムであって、
人物と動物の各シルエットを格納した人物／動物シルエットデータベース記憶と、漁具を携えた人物とそれを携えない人物の各シルエットを格納した密漁者／遊漁以外者シルエットデータベース記憶と、利用者の承認番号と承認開始日と個人情報とを保持するユーザデータベース記憶と、１台以上の処理装置と、表示装置とを含み、
前記処理装置が、前記監視装置からの映像情報を、前記人物と動物の各シルエットと照合し、映像が人物／動物の何れであるかを判定する手段と、
人物であれば前記監視装置に承認者番号の受信を指示する手段と、
前記監視装置より承認番号を受信し、それで前記ユーザデータベース記憶を参照し、前記承認番号の登録チェックと、承認開始日による承認期間内かの判断を行い、登録され承認期間内か、それ以外かで遊漁承認者、密漁者と判定する手段と
前記監視装置より前記受信不可を受信し、前記映像を前記密漁者／遊漁以外者シルエットデータベース記憶の各シルエットと照合し、密漁者、或いは遊漁以外者と判定する手段と、
判定結果を、前記映像を送信してきた監視装置が設置されている地区の識別情報と共に表示する手段を有することを特徴とする管理組織システム。
【請求項７】
接近物を検出しその映像を採取し、接近物が携帯するデバイスから承認番号を受信する監視装置をネットワーク接続する管理組織システムであって、
一人の人物と各複数人の人物と動物の各シルエットを格納した人物／動物シルエットデータベース記憶と、漁具を携えた一人の人物と、漁具を携えた各複数人の人物と、漁具を携えない一人の人物と、漁具を携えない各複数人の人物の各シルエットを格納した密漁者／遊漁以外者シルエットデータベース記憶と、利用者の承認番号と承認開始日とライセンス数と個人情報とを保持するユーザデータベース記憶と、１台以上の処理装置と、表示装置とを含み、
前記処理装置が、前記監視装置からの映像情報を、人物／動物シルエットデータベース記憶の各シルエットと照合し、映像が人物一人／人物複数／動物の何れであるかと人物複数の場合の人数とを判定する手段と、
人物一人であれば前記監視装置に承認者番号の受信を指示する手段と、
前記監視装置より承認番号を受信し、それで前記ユーザデータベース記憶を参照し、前記承認番号の登録チェックと、承認開始日による承認期間内かの判断を行い、登録され承認期間内かどうかで前記人物複数を遊漁承認者、密漁者と判定する手段と、
人物複数であれば、最大で前記判定した人数分の承認者番号の受信確認を、前記監視装置に指示する手段と、
前記監視装置より受信する承認番号の全てについて、各承認番号で前記ユーザデータベース記憶を参照し、前記承認番号の登録チェックと前記承認期間内かの判定を行い、登録され承認期間内である承認番号に付随するライセンス数を合計し、前記人数が合計ライセンス数以内であれば複数人物を遊漁承認者と判定し、それ以外であれば密漁者と判定する手段と、
前記監視装置より前記受信不可を受信し、前記映像を前記密漁者／遊漁以外者シルエットデータベース記憶の各シルエットと照合し、前記映像を密漁者、或いは遊漁以外者と判定する手段と、
判定結果を、前記映像を送信してきた前記監視装置が設置されている地区の識別情報と共に表示する手段を有することを特徴とする管理組織システム。
【請求項８】
前記処理装置が前記監視装置が設置された各地区を含む地図情報を格納したデータベースを有し、
前記表示する手段が、地図上で前記設置地区をマークした情報と、遊漁承認者か或いは承認番号が登録され承認期間外の密漁者の個人情報を表示することを特徴とする請求項６、又は７記載の管理組織システム。
【請求項９】
ネットワーク接続された監視装置から受信する接近物の映像情報を、シルエットデータベース記憶に格納された人物及び動物の各シルエットと照合し、前記映像が人物／動物の何れであるかを判定する手順と、
人物であれば前記監視装置に、接近物が携帯するデバイスから承認者番号の受信と転送を指示する手順と、
前記監視装置より承認番号を受信し、それでユーザデータベース記憶を参照し、前記承認番号の登録チェックと、前記承認番号に付随して登録されている承認開始日による承認期間内かの判断を行い、登録され承認期間内かどうかで前記映像を遊漁承認者、密漁者と判定する手順と、
前記監視装置より承認番号の受信不可を受信し、前記映像をシルエットデータベース記憶に格納された密漁者と遊漁以外者の各シルエットと照合し、密漁者、或いは遊漁以外者と判定する手順と、
判定結果を、前記映像を送信してきた監視装置が設置されている地区の識別情報と共に表示する手順とをコンピュータに実行させるためのプログラム。
【請求項１０】
ネットワーク接続された監視装置から受信する接近物の映像情報を、シルエットデータベース記憶に格納された人物及び動物の各シルエットと照合し、前記映像が人物／動物の何れであるかを判定する手順と、
人物であれば前記監視装置に、接近物が携帯するデバイスから承認者番号の受信と転送を指示する手順と、
前記監視装置より承認番号を受信し、それでユーザデータベース記憶を参照し、前記承認番号の登録チェックと、前記承認番号に付随して登録されている承認開始日による承認期間内かの判断を行い、登録され承認期間内かどうかで前記映像を遊漁承認者、密漁者と判定する手順と、
前記監視装置より承認番号の受信不可を受信し、前記映像をシルエットデータベース記憶に格納された密漁者と遊漁以外者の各シルエットと照合し、密漁者、或いは遊漁以外者と判定する手順と、
判定結果を、前記映像を送信してきた前記監視装置の設置地区識別情報と、地図上で前記設置地区をマークした情報と共に表示し、遊漁承認者か或いは承認番号が登録され承認期間外の密漁者の個人情報を表示する手順とをコンピュータに実行させるためのプログラム。
【請求項１１】
ネットワーク接続された監視装置から受信する接近物の映像情報を、シルエットデータベース記憶に格納された、一人の人物と各複数人の人物と動物の各シルエットと照合し、前記映像が人物一人／人物複数／動物の何れであるかと人物複数の場合の人数とを判定する手順と、
人物一人であれば前記監視装置に、接近物が携帯するデバイスから承認者番号の受信と転送を指示する手順と、
前記監視装置より承認番号を受信し、それでユーザデータベース記憶を参照し、前記承認番号の登録チェックと、承認番号に付随して登録されている承認開始日による承認期間内かの判断を行い、登録され承認期間内かどうかで前記映像を遊漁承認者、密漁者と判定する手順と、
人物複数であれば、最大で前記判定した人数分の承認者番号の受信と転送を、前記監視装置に指示する手順と、
前記監視装置より受信する承認番号の全てについて、各承認番号で前記ユーザデータベース記憶を参照し、各承認番号の登録チェックと前記承認期間内かの判定を行い、登録され承認期間内である承認番号に付随するライセンス数を合計し、前記人数が合計ライセンス数以内かどうかで、人物複数を遊漁承認者、密漁者と判定する手順と、
前記監視装置より承認番号の受信不可を受信し、前記映像をシルエットデータベース記憶に格納された密漁者と遊漁以外者の各シルエットと照合し、密漁者、或いは遊漁以外者と判定する手順と、
判定結果を、前記映像を送信してきた監視装置が設置されている地区の識別情報と共に表示する手順とをコンピュータに実行させるためのプログラム。
【請求項１２】
ネットワーク接続された監視装置から受信する接近物の映像情報を、シルエットデータベース記憶に格納された、一人の人物と各複数人の人物と動物の各シルエットと照合し、前記映像が人物一人／人物複数／動物の何れであるかと人物複数の場合の人数とを判定する手順と、
人物一人であれば前記監視装置に、接近物が携帯するデバイスから承認者番号の受信と転送を指示する手順と、
前記監視装置より承認番号を受信し、それでユーザデータベース記憶を参照し、前記承認番号の登録チェックと、承認番号に付随して登録されている承認開始日による承認期間内かの判断を行い、登録され承認期間内かどうかで前記映像を遊漁承認者、密漁者と判定する手順と、
人物複数であれば、最大で前記判定した人数分の承認者番号の受信と転送を、前記監視装置に指示する手順と、
前記監視装置より受信する承認番号の全てについて、各承認番号で前記ユーザデータベース記憶を参照し、各承認番号の登録チェックと前記承認期間内かの判定を行い、登録され承認期間内である承認番号に付随するライセンス数を合計し、前記人数が合計ライセンス数以内かどうかで、人物複数を遊漁承認者、密漁者と判定する手順と、
前記監視装置より承認番号の受信不可を受信し、前記映像をシルエットデータベース記憶に格納された密漁者と遊漁以外者の各シルエットと照合し、密漁者、或いは遊漁以外者と判定する手順と、
判定結果を、前記映像を送信してきた前記監視装置の設置地区識別情報と、地図上で前記設置地区をマークした情報と共に表示し、遊漁承認者か或いは承認番号が登録され承認期間外の密漁者の個人情報を表示する手順とをコンピュータに実行させるためのプログラム。
【請求項１３】
管理対象の水域に設置した複数の監視装置と管理組織システムがネットワーク接続されたシステムにおける密漁者自動認識方法であって、
各監視装置が、接近物の映像情報を採取し、管理組織システムに送信する手順と、接近物より承認者番号を受信し、管理組織システムに送信する手順とを含み、
前記管理組織システムが、
前記監視装置から受信する映像情報を、シルエットデータベース記憶に格納された人物及び動物の各シルエットと照合し、前記映像が人物／動物の何れであるかを判定する手順と、
人物であれば前記監視装置に、接近物の発信する承認者番号の受信と転送を指示する手順と、
前記監視装置より承認番号を受信し、それでユーザデータベース記憶を参照し、前記承認番号の登録チェックと、承認番号に付随して登録されている承認開始日による承認期間内かの判断を行い、登録され承認期間内かどうかで前記映像を遊漁承認者、密漁者と判定する手順と、
前記監視装置より承認番号の受信不可を受信し、前記映像をシルエットデータベース記憶に格納された遊漁者と遊漁以外者の各シルエットと照合し、密漁者、或いは遊漁以外者と判定する手順と、
判定結果を、前記映像を送信してきた監視装置が設置されている地区の識別情報と共に表示する手順とを含むことを特徴とする密漁者自動認識方法。
【請求項１４】
管理対象の水域に設置した複数の監視装置と管理組織システムがネットワーク接続されたシステムにおける密漁者自動認識方法であって、
各監視装置が、接近物の映像情報を採取し、管理組織システムに送信する手順と、接近物より承認者番号を受信し、管理組織システムに送信する手順とを含み、
前記管理組織システムが、
ネットワーク接続された監視装置から受信する接近物の映像情報を、シルエットデータベース記憶に格納された、一人の人物と各複数人の人物と動物の各シルエットと照合し、前記映像が人物一人／人物複数／動物の何れであるかと人物複数の場合の人数とを判定する手順と、
人物一人であれば前記監視装置に、接近物の発信する承認者番号の受信と転送を指示する手順と、
前記監視装置より承認番号を受信し、それでユーザデータベース記憶を参照し、前記承認番号の登録チェックと、前記承認番号に付随して登録されている承認開始日による承認期間内かの判断を行い、登録され承認期間内かどうかで、前記映像を遊漁承認者、密漁者と判定する手順と、
人物複数であれば、最大で前記判定した人数分の承認者番号の受信と転送を、前記監視装置に指示する手順と、
前記監視装置より受信する承認番号の全てについて、各承認番号で前記ユーザデータベース記憶を参照し、各承認番号の登録チェックと前記承認期間内かの判断を行い、登録され承認期間内である承認番号に付随するライセンス数を合計し、前記人数が合計ライセンス数以内かどうかで、前記人物複数を遊漁承認者、密漁者と判定する手順と、
前記監視装置より承認番号の受信不可を受信し、前記映像をシルエットデータベース記憶に格納された密漁者と遊漁以外者の各シルエットと照合し、密漁者、或いは遊漁以外者と判定する手順と、
判定結果を、前記映像を送信してきた監視装置が設置されている地区の識別情報と共に表示する手順とを含むことを特徴とする密漁者自動認識方法。
【請求項１５】
前記表示する手順に、地図上で前記設置地区をマークした情報と、遊漁承認者か或いは承認番号が登録され承認期間外の密漁者の個人情報を表示する手順を含むことを特徴とする請求項１３、又は１４に記載の密漁者自動認識方法。
【発明の詳細な説明】
【技術分野】
【０００１】
本発明は密漁者自動認識システムと方法、管理組織システム、及びプログラムに関し、特に、密漁者自動認識システムと方法、管理組織システム、及びプログラムに関する。
【背景技術】
【０００２】
従来より、遊漁者は、事前に漁業協同組合等に対し、料金を添えて遊漁を申請し、承認を得て紙製の遊漁承認証の交付を受けることが義務づけられている。
【０００３】
そして、遊漁者は、遊漁する際には遊漁承認証を携帯し、漁業協同組合等の漁場監視員から要求があればそれを提示する義務がある。
【０００４】
また、常に監視員のいる管理釣場ではない源流や渓谷を、漁業協同組合の漁場監視員が巡回する場合、その日の天候・時間帯など漁場監視員の憶測で、多々存在する源流や渓谷を闇雲に巡回していた。
【０００５】
また、区域への侵入者を監視し識別する技術として、下記防犯監視システムがある。
【０００６】
このシステムでは、集信センター側に、監視区域毎にそれら監視区域への入館有資格者の画像情報が予め登録された画像データベースを設け、監視区域への侵入者があった場合、監視カメラを通じてその侵入者の画像情報を採取するとともに、この画像情報を、上記画像データベースに登録された当該監視区域への入館有資格者の画像情報と照合し、当該侵入者が当該監視区域への入館有資格者の何れとも一致しないことを条件に、該侵入者が不法侵入者であるとして、その旨を拘束機関へ通報するようにする（特許文献１参照）。
【０００７】
【特許文献１】特開平５−１６６０９０号公報（第１ページ）
【発明の開示】
【発明が解決しようとする課題】
【０００８】
従って、漁場監視員は前記憶測が外れ、必要のない場所まで巡るという課題がある。
【０００９】
また巡回において、漁場監視員は、清流や本流水系であれば見渡しが良いため、遊漁者を容易に目視確認でき、遊漁承認証の提示を求めることができる。
【００１０】
しかし、遊漁者が源流や渓谷の見渡しの悪い場所で遊漁している場合には、遊漁者を目視確認することは困難であり、遊漁者のものと思われる車を見つけた場合でも、遊漁者が車に戻ってくるまで現場で待つか、出直すしか方法が無いと言う課題もある。
【００１１】
また、上記防犯監視システムで密漁者自動認識を行うとすれば、データベースに有資格者の顔画像を登録する必要があり、遊漁するためにそこまで要求するのは利用者の負担になる。
【００１２】
また、監視カメラで顔画像まで採取する必要があり、源流・渓谷等の広範囲で明るさの変化が大きい場所での監視には向かない。
【００１３】
従って、上記防犯監視システムは密漁者自動認識には不向きである。
【００１４】
本発明の目的は前記課題を解決する密漁者自動認識システムと方法、管理組織システム、及びプログラムを提供することにある。
【課題を解決するための手段】
【００１５】
本発明の第１の密漁者自動認識システムは、遊漁者が携行する遊漁承認証デバイスと、管理対象水域に設けられた複数の監視装置と、管理組織システムを含み、各監視装置と前記管理組織システムがネットワーク接続された密漁者自動認識システムであって、前記遊漁承認証デバイスは、前記監視装置に電波を発信し遊漁者毎の承認番号を提供する手段を有し、前記監視装置は、接近センサとサーモグラフィ監視カメラと受信機と制御部を備え、前記接近センサの出力を受け前記監視カメラで接近物の映像を採取し、前記管理組織システムに送信し、指示に応じ前記デバイスから承認番号の受信を行い、受信した承認番号或いは受信不可を前記管理組織システムに送信する手段を有し、前記管理組織システムは、人物と動物の各シルエットを格納した人物／動物シルエットデータベース記憶と、漁具を携えた人物と、それを携えない人物の各シルエットを格納した密漁者／遊漁以外者シルエットデータベース記憶と、利用者の承認番号と承認開始日と個人情報とを保持するユーザデータベース記憶と、１台以上の処理装置と、表示装置とを含み、前記処理装置が、前記監視装置からの映像情報を、前記人物と動物の各シルエットと照合し、映像が人物／動物の何れであるかを判定する手段と、人物であれば前記監視装置に承認者番号の受信を指示する手段と、前記監視装置から承認番号を受信し、それで前記ユーザデータベース記憶を参照し、前記承認番号の登録チェックと、承認開始日による承認期間内かの判断を行い、登録され承認期間内か、それ以外かで遊漁承認者、密漁者と判定する手段と、前記監視装置から受信不可を受信し、前記映像を前記密漁者／遊漁以外者シルエットデータベース記憶の各シルエットと照合し、密漁者、或いは遊漁以外者と判定する手段と、判定結果を、前記映像を送信してきた監視装置の設置地区識別情報と共に表示する手段を有する。
【００１６】
本発明の第２の密漁者自動認識システムは、前記第１の密漁者自動認識システムであって、前記管理組織システムは、前記人物／動物シルエットデータベース記憶と前記密漁者／遊漁以外者シルエットデータベース記憶と前記ユーザデータベース記憶と第１の処理装置と第２の処理装置と表示装置とを含み、前記第１の処理装置が、前記監視装置からの映像情報を、前記人物と動物の各シルエットと照合し、映像が人物／動物の何れであるかを判定し、結果を前記第２の処理装置に渡す手段と、前記映像を前記密漁者／遊漁以外者シルエットデータベース記憶の各シルエットと照合し、密漁者、或いは遊漁以外者と判定し、結果を前記第２の処理装置に渡す手段を有し、前記第２の処理装置が、人物であれば前記監視装置に承認者番号の受信を指示する手段と、前記監視装置から承認番号を受信し、それで前記ユーザデータベース記憶を参照し、前記承認番号の登録チェックと前記承認期間内であるかの判断を行い、登録され承認期間内か、それ以外かで遊漁承認者、密漁者と判定する手段と、前記監視装置から前記受信不可を受信し、前記第１の処理装置に前記映像の密漁者／遊漁以外者の判定を指示し、密漁者／遊漁以外者の判定結果を受ける手段と、判定結果を、前記映像を送信してきた監視装置の設置地区識別情報と共に表示する手段を有する。
【００１７】
本発明の第３の密漁者自動認識システムは、遊漁者が携行する遊漁承認証デバイスと、管理対象水域に設けられた複数の監視装置と、管理組織システムを含み、各監視装置と前記管理組織システムがネットワーク接続された密漁者自動認識システムであって、前記遊漁承認証デバイスは、前記監視装置に電波を発信し遊漁者毎の承認番号を提供する手段を有し、前記監視装置は、接近センサとサーモグラフィ監視カメラと受信機と制御部を備え、前記接近センサの検出を受け前記監視カメラで接近物の映像を採取し、前記管理組織システムに送信し、指示に応じ前記デバイスから承認番号の受信を行い、受信した承認番号或いは受信不可を前記管理組織システムに送信する手段を有し、前記管理組織システムは、一人の人物と各複数人の人物と動物の各シルエットを格納した人物／動物シルエットデータベース記憶と、漁具を携えた一人及び各複数人の人物と、漁具を携えない一人及び各複数人の人物の各シルエットを格納した密漁者／遊漁以外者シルエットデータベース記憶と、利用者の承認番号と承認開始日とライセンス数と個人情報とを保持するユーザデータベース記憶と、１台以上の処理装置と、表示装置とを含み、前記処理装置が、前記監視装置からの映像情報を、人物／動物シルエットデータベース記憶の各シルエットと照合し、映像が人物一人／人物複数／動物の何れであるかと人物複数の場合の人数とを判定する手段と、人物一人であれば前記監視装置に承認者番号の受信を指示する手段と、前記監視装置から承認番号を受信し、それで前記ユーザデータベース記憶を参照し、前記承認番号の登録チェックと、承認開始日によるまだ承認期間内かの判断を行い、登録され承認期間内か、それ以外かで遊漁承認者、密漁者と判定する手段と、人物複数であれば、最大で前記判定した人数分の承認者番号の受信を前記監視装置に指示する手段と、前記監視装置より受信する承認番号の全てについて、各承認番号で前記ユーザデータベース記憶を参照し、前記承認番号の登録チェックと前記承認期間内かの判定を行い、登録され承認期間内である承認番号に付随するライセンス数を合計し、前記人数が合計ライセンス数以内でかどうかで、人物複数を、遊漁承認者、密漁者と判定する手段と、前記監視装置から前記受信不可を受信し、前記映像を前記密漁者／遊漁以外者シルエットデータベース記憶の各シルエットと照合し、密漁者、或いは遊漁以外者と判定する手段と、判定結果を、前記映像を送信してきた前記監視装置の設置地区識別情報と共に表示する手段を有する。
【００１８】
本発明の第４の密漁者自動認識システムは、前記第３の密漁者自動認識システムであって、前記管理組織システムは、前記人物／動物シルエットデータベース記憶と前記密漁者／遊漁以外者シルエットデータベース記憶と前記ユーザデータベース記憶と第１の処理装置と第２の処理装置と表示装置とを含み、前記第１の処理装置が、前記監視装置からの映像情報を、前記人物／動物シルエットデータベース記憶の各シルエットと照合し、映像が人物一人／人物複数／動物の何れであるかと人物複数の場合の人数とを判定し、結果を前記第２の処理装置に渡す手段と、前記映像を前記密漁者／遊漁以外者シルエットデータベース記憶の各シルエットと照合し、密漁者、或いは遊漁以外者と判定し、結果を前記第２の処理装置に渡す手段を有し、前記第２の処理装置が、人物一人であれば前記監視装置に承認者番号の受信を指示する手段と、前記監視装置から承認番号を受信し、それで前記ユーザデータベース記憶を参照し、前記承認番号の登録チェックと前記承認期間内かの判断を行い、登録され承認期間内かそれ以外かで、遊漁承認者、密漁者と判定する手段と、人物複数であれば、最大で前記判定した人数分の承認者番号の受信を、前記監視装置に指示する手段と、前記監視装置より受信する承認番号の全てについて、各承認番号で前記ユーザデータベース記憶を参照し、前記承認番号の登録チェックと前記承認期間内かの判断を行い、登録され承認期間内である承認番号に付随するライセンス数を合計し、前記人数が合計ライセンス数以内であるかどうかで、人物複数を、遊漁承認者、密漁者と判定する手段と、前記監視装置から前記受信不可を受信し、前記第１の処理装置に前記映像の密漁者／遊漁以外者の照合を指示し、密漁者／遊漁以外者の判定結果を受ける手段と、判定結果を、前記映像を送信してきた前記監視装置の設置地区識別情報と共に表示する手段を有する。
【００１９】
本発明の第５の密漁者自動認識システムは、前記第１、又は第３の密漁者自動認識システムであって、前記処理装置が前記監視装置が設置された各地区を含む地図情報を格納したデータベースを有し、前記表示する手段が、地図上で前記設置地区をマークした情報と、遊漁承認者か或いは承認番号が登録され承認期間外の密漁者の個人情報を表示する。
【００２０】
本発明の第１の管理組織システムは、接近物を検出しその映像を採取し、接近物が携帯するデバイスから承認番号を受信する監視装置をネットワーク接続する管理組織システムであって、人物と動物の各シルエットを格納した人物／動物シルエットデータベース記憶と、漁具を携えた人物とそれを携えない人物の各シルエットを格納した密漁者／遊漁以外者シルエットデータベース記憶と、利用者の承認番号と承認開始日と個人情報とを保持するユーザデータベース記憶と、１台以上の処理装置と、表示装置とを含み、前記処理装置が、前記監視装置からの映像情報を、前記人物と動物の各シルエットと照合し、映像が人物／動物の何れであるかを判定する手段と、人物であれば前記監視装置に承認者番号の受信を指示する手段と、前記監視装置より承認番号を受信し、それで前記ユーザデータベース記憶を参照し、前記承認番号の登録チェックと、承認開始日による承認期間内かの判断を行い、登録され承認期間内か、それ以外かで遊漁承認者、密漁者と判定する手段と前記監視装置より前記受信不可を受信し、前記映像を前記密漁者／遊漁以外者シルエットデータベース記憶の各シルエットと照合し、密漁者、或いは遊漁以外者と判定する手段と、判定結果を、前記映像を送信してきた監視装置が設置されている地区の識別情報と共に表示する手段を有する。
【００２１】
本発明の第２の管理組織システムは、接近物を検出しその映像を採取し、接近物が携帯するデバイスから承認番号を受信する監視装置をネットワーク接続する管理組織システムであって、一人の人物と各複数人の人物と動物の各シルエットを格納した人物／動物シルエットデータベース記憶と、漁具を携えた一人の人物と、漁具を携えた各複数人の人物と、漁具を携えない一人の人物と、漁具を携えない各複数人の人物の各シルエットを格納した密漁者／遊漁以外者シルエットデータベース記憶と、利用者の承認番号と承認開始日とライセンス数と個人情報とを保持するユーザデータベース記憶と、１台以上の処理装置と、表示装置とを含み、前記処理装置が、前記監視装置からの映像情報を、人物／動物シルエットデータベース記憶の各シルエットと照合し、映像が人物一人／人物複数／動物の何れであるかと人物複数の場合の人数とを判定する手段と、人物一人であれば前記監視装置に承認者番号の受信を指示する手段と、前記監視装置より承認番号を受信し、それで前記ユーザデータベース記憶を参照し、前記承認番号の登録チェックと、承認開始日による承認期間内かの判断を行い、登録され承認期間内かどうかで前記人物複数を遊漁承認者、密漁者と判定する手段と、人物複数であれば、最大で前記判定した人数分の承認者番号の受信確認を、前記監視装置に指示する手段と、前記監視装置より受信する承認番号の全てについて、各承認番号で前記ユーザデータベース記憶を参照し、前記承認番号の登録チェックと前記承認期間内かの判定を行い、登録され承認期間内である承認番号に付随するライセンス数を合計し、前記人数が合計ライセンス数以内であれば複数人物を遊漁承認者と判定し、それ以外であれば密漁者と判定する手段と、前記監視装置より前記受信不可を受信し、前記映像を前記密漁者／遊漁以外者シルエットデータベース記憶の各シルエットと照合し、前記映像を密漁者、或いは遊漁以外者と判定する手段と、判定結果を、前記映像を送信してきた前記監視装置が設置されている地区の識別情報と共に表示する手段を有する。
【００２２】
本発明の第３の管理組織システムは、前記第１、又は第２の管理組織システムであって、前記処理装置が前記監視装置が設置された各地区を含む地図情報を格納したデータベースを有し、前記表示する手段が、地図上で前記設置地区をマークした情報と、遊漁承認者か或いは承認番号が登録され承認期間外の密漁者の個人情報を表示する。
【００２３】
本発明の第１のプログラムは、ネットワーク接続された監視装置から受信する接近物の映像情報を、シルエットデータベース記憶に格納された人物及び動物の各シルエットと照合し、前記映像が人物／動物の何れであるかを判定する手順と、人物であれば前記監視装置に、接近物が携帯するデバイスから承認者番号の受信と転送を指示する手順と、前記監視装置より承認番号を受信し、それでユーザデータベース記憶を参照し、前記承認番号の登録チェックと、前記承認番号に付随して登録されている承認開始日による承認期間内かの判断を行い、登録され承認期間内かどうかで前記映像を遊漁承認者、密漁者と判定する手順と、前記監視装置より承認番号の受信不可を受信し、前記映像をシルエットデータベース記憶に格納された密漁者と遊漁以外者の各シルエットと照合し、密漁者、或いは遊漁以外者と判定する手順と、判定結果を、前記映像を送信してきた監視装置が設置されている地区の識別情報と共に表示する手順とをコンピュータに実行させる。
【００２４】
本発明の第２のプログラムは、ネットワーク接続された監視装置から受信する接近物の映像情報を、シルエットデータベース記憶に格納された人物及び動物の各シルエットと照合し、前記映像が人物／動物の何れであるかを判定する手順と、人物であれば前記監視装置に、接近物が携帯するデバイスから承認者番号の受信と転送を指示する手順と、前記監視装置より承認番号を受信し、それでユーザデータベース記憶を参照し、前記承認番号の登録チェックと、前記承認番号に付随して登録されている承認開始日による承認期間内かの判断を行い、登録され承認期間内かどうかで前記映像を遊漁承認者、密漁者と判定する手順と、前記監視装置より承認番号の受信不可を受信し、前記映像をシルエットデータベース記憶に格納された密漁者と遊漁以外者の各シルエットと照合し、密漁者、或いは遊漁以外者と判定する手順と、判定結果を、前記映像を送信してきた前記監視装置の設置地区識別情報と、地図上で前記設置地区をマークした情報と共に表示し、遊漁承認者か或いは承認番号が登録され承認期間外の密漁者の個人情報を表示する手順とをコンピュータに実行させる。
【００２５】
本発明の第３のプログラムは、ネットワーク接続された監視装置から受信する接近物の映像情報を、シルエットデータベース記憶に格納された、一人の人物と各複数人の人物と動物の各シルエットと照合し、前記映像が人物一人／人物複数／動物の何れであるかと人物複数の場合の人数とを判定する手順と、人物一人であれば前記監視装置に、接近物が携帯するデバイスから承認者番号の受信と転送を指示する手順と、前記監視装置より承認番号を受信し、それでユーザデータベース記憶を参照し、前記承認番号の登録チェックと、承認番号に付随して登録されている承認開始日による承認期間内かの判断を行い、登録され承認期間内かどうかで前記映像を遊漁承認者、密漁者と判定する手順と、人物複数であれば、最大で前記判定した人数分の承認者番号の受信と転送を、前記監視装置に指示する手順と、前記監視装置より受信する承認番号の全てについて、各承認番号で前記ユーザデータベース記憶を参照し、各承認番号の登録チェックと前記承認期間内かの判定を行い、登録され承認期間内である承認番号に付随するライセンス数を合計し、前記人数が合計ライセンス数以内かどうかで、人物複数を遊漁承認者、密漁者と判定する手順と、前記監視装置より承認番号の受信不可を受信し、前記映像をシルエットデータベース記憶に格納された密漁者と遊漁以外者の各シルエットと照合し、密漁者、或いは遊漁以外者と判定する手順と、判定結果を、前記映像を送信してきた監視装置が設置されている地区の識別情報と共に表示する手順とをコンピュータに実行させる。
【００２６】
本発明の第４のプログラムは、ネットワーク接続された監視装置から受信する接近物の映像情報を、シルエットデータベース記憶に格納された、一人の人物と各複数人の人物と動物の各シルエットと照合し、前記映像が人物一人／人物複数／動物の何れであるかと人物複数の場合の人数とを判定する手順と、人物一人であれば前記監視装置に、接近物が携帯するデバイスから承認者番号の受信と転送を指示する手順と、前記監視装置より承認番号を受信し、それでユーザデータベース記憶を参照し、前記承認番号の登録チェックと、承認番号に付随して登録されている承認開始日による承認期間内かの判断を行い、登録され承認期間内かどうかで前記映像を遊漁承認者、密漁者と判定する手順と、人物複数であれば、最大で前記判定した人数分の承認者番号の受信と転送を、前記監視装置に指示する手順と、前記監視装置より受信する承認番号の全てについて、各承認番号で前記ユーザデータベース記憶を参照し、各承認番号の登録チェックと前記承認期間内かの判定を行い、登録され承認期間内である承認番号に付随するライセンス数を合計し、前記人数が合計ライセンス数以内かどうかで、人物複数を遊漁承認者、密漁者と判定する手順と、前記監視装置より承認番号の受信不可を受信し、前記映像をシルエットデータベース記憶に格納された密漁者と遊漁以外者の各シルエットと照合し、密漁者、或いは遊漁以外者と判定する手順と、判定結果を、前記映像を送信してきた前記監視装置の設置地区識別情報と、地図上で前記設置地区をマークした情報と共に表示し、遊漁承認者か或いは承認番号が登録され承認期間外の密漁者の個人情報を表示する手順とをコンピュータに実行させる。
【００２７】
本発明の第１の密漁者自動認識方法は、管理対象の水域に設置した複数の監視装置と管理組織システムがネットワーク接続されたシステムにおける密漁者自動認識方法であって、各監視装置が、接近物の映像情報を採取し、管理組織システムに送信する手順と、接近物より承認者番号を受信し、管理組織システムに送信する手順とを含み、前記管理組織システムが、前記監視装置から受信する映像情報を、シルエットデータベース記憶に格納された人物及び動物の各シルエットと照合し、前記映像が人物／動物の何れであるかを判定する手順と、人物であれば前記監視装置に、接近物の発信する承認者番号の受信と転送を指示する手順と、前記監視装置より承認番号を受信し、それでユーザデータベース記憶を参照し、前記承認番号の登録チェックと、承認番号に付随して登録されている承認開始日による承認期間内かの判断を行い、登録され承認期間内かどうかで前記映像を遊漁承認者、密漁者と判定する手順と、前記監視装置より承認番号の受信不可を受信し、前記映像をシルエットデータベース記憶に格納された遊漁者と遊漁以外者の各シルエットと照合し、密漁者、或いは遊漁以外者と判定する手順と、判定結果を、前記映像を送信してきた監視装置が設置されている地区の識別情報と共に表示する手順とを含む。
【００２８】
本発明の第２の密漁者自動認識方法は、管理対象の水域に設置した複数の監視装置と管理組織システムがネットワーク接続されたシステムにおける密漁者自動認識方法であって、各監視装置が、接近物の映像情報を採取し、管理組織システムに送信する手順と、接近物より承認者番号を受信し、管理組織システムに送信する手順とを含み、前記管理組織システムが、ネットワーク接続された監視装置から受信する接近物の映像情報を、シルエットデータベース記憶に格納された、一人の人物と各複数人の人物と動物の各シルエットと照合し、前記映像が人物一人／人物複数／動物の何れであるかと人物複数の場合の人数とを判定する手順と、人物一人であれば前記監視装置に、接近物の発信する承認者番号の受信と転送を指示する手順と、前記監視装置より承認番号を受信し、それでユーザデータベース記憶を参照し、前記承認番号の登録チェックと、前記承認番号に付随して登録されている承認開始日による承認期間内かの判断を行い、登録され承認期間内かどうかで、前記映像を遊漁承認者、密漁者と判定する手順と、人物複数であれば、最大で前記判定した人数分の承認者番号の受信と転送を、前記監視装置に指示する手順と、前記監視装置より受信する承認番号の全てについて、各承認番号で前記ユーザデータベース記憶を参照し、各承認番号の登録チェックと前記承認期間内かの判断を行い、登録され承認期間内である承認番号に付随するライセンス数を合計し、前記人数が合計ライセンス数以内かどうかで、前記人物複数を遊漁承認者、密漁者と判定する手順と、前記監視装置より承認番号の受信不可を受信し、前記映像をシルエットデータベース記憶に格納された密漁者と遊漁以外者の各シルエットと照合し、密漁者、或いは遊漁以外者と判定する手順と、判定結果を、前記映像を送信してきた監視装置が設置されている地区の識別情報と共に表示する手順とを含む。
【００２９】
本発明の第３の密漁者自動認識方法は、前記第１、又は第２の密漁者自動認識方法であって、前記表示する手順に、地図上で前記設置地区をマークした情報と、遊漁承認者か或いは承認番号が登録され承認期間外の密漁者の個人情報を表示する手順を含む。
【発明の効果】
【００３０】
本発明によれば、漁業協同組合から交付される遊漁承認証が、承認番号を発信して遊漁者情報を漁業協同組合へ送信することにより、漁場監視員は遊漁承認者が現在何処の源流や渓谷にいるのか、リアルタイムに情報を取得することができる。
【００３１】
次に、漁業協同組合から交付される遊漁承認証が、承認番号を発信して遊漁者情報を漁業協同組合へ送信することにより、漁場監視員は源流や渓谷にいる遊漁承認者が所持している遊漁承認証の承認有効期間情報をリアルタイムに取得することができる。
【００３２】
また、源流や渓谷のサーモグラフィ監視カメラが、漁業協同組合へ人物の映像を送信することにより、漁場監視員は源流や渓谷にいる人物が山菜採りや紅葉狩りの遊漁以外者であるとの情報をリアルタイムに取得することができる。
【００３３】
また、源流や渓谷のサーモグラフィ監視カメラが、漁業協同組合へ人物の映像を送信することにより、漁場監視員は源流や渓谷にいる人物が密漁者であるとの情報をリアルタイムに取得することができる。
【００３４】
更には、漁場監視員の業務効率向上及び、密漁者取締まり強化の効果がある。
【発明を実施するための最良の形態】
【００３５】
次に、本発明を実施するための最良の形態について図面を参照して詳細に説明する。
本発明は図１に示すとおり利用者１０が携帯する遊漁承認証デバイス１１、複数の源流・渓谷監視装置２０、漁業協同組合システム３０により構成されており、それぞれはインターネット１００を介して接続されている。
【００３６】
利用者１０は漁業協同組合から承認された遊漁者、または密漁者・遊漁以外者であり、図２に示すとおり漁業協同組合システム３０から承認された遊漁者は遊漁承認証デバイス１１を所持している。
【００３７】
遊漁承認証デバイス１１は、源流・渓谷監視装置２０に電波を発信して遊漁者毎の個別情報を提供するもので次の機能を有する。
（１）源流・渓谷監視装置２０に対して承認番号を提供する機能。
（２）源流・渓谷監視装置２０に対して承認有効期間を提供する機能。
（３）源流・渓谷監視装置２０に対してライセンス数を提供する機能。
【００３８】
源流・渓谷監視装置２０は常に監視員のいる管理釣場ではない源流や渓谷を監視する装置である。
【００３９】
本装置は、図３に示すとおり接近した人物／動物の映像取得タイミングを検知する無指向性接近センサ２１、人物／動物を識別するための映像取得用のサーモグラフィ監視カメラ２２、遊漁承認証デバイス１１から発信した承認番号を受信する受信機２３、各部の制御を司る制御部２４を１セットの構成とする。
【００４０】
各セットは、複数箇所に設置されており次の機能を有する。
（１）利用者１０または動物が存在していることを検知する機能。
（２）利用者１０または動物の映像を取得する機能。
（３）取得した映像を漁業協同組合システム３０へ送信する機能。
（４）利用者１０が遊漁承認証デバイス１１を携行していればこれからから個別情報を受信する機能。
（５）受信した情報を漁業協同組合システム３０へ送信する機能。
【００４１】
漁業協同組合は漁場を管理する都道府県町の組織である。
【００４２】
漁業協同組合システム３０は、図４と図５に示すとおり人物／動物識別システム３００、遊漁承認者管理システム３１０の各装置を含む。
【００４３】
人物／動物識別システム３００は処理装置３０１、人物／動物シルエットＤＢ（データベース）記憶部３０２、シルエットＤＢ記憶部３０３により構成されている。
【００４４】
遊漁承認者管理システム３１０は処理装置３１１、ユーザＤＢ記憶部３１２、巡回情報ＤＢ記憶部３１３、地図情報ＤＢ記憶部３１４、表示装置３１５により構成されている。
【００４５】
人物／動物識別システム３００の処理装置３０１はサーバ等の情報処理装置であり、プログラム制御で動作し、次の機能を有する。
（１）源流・渓谷監視装置２０からの映像情報により人物／動物シルエットＤＢ記憶部３０２を検索し、照合結果が人物一人である場合は遊漁承認者管理システム３１０に遊漁承認者照合命令を送信する機能。
（２）源流・渓谷監視装置２０からの映像情報により人物／動物シルエットＤＢ記憶部３０２を検索し、照合結果が人物複数人である場合は遊漁承認者管理システム３１０に遊漁承認者ライセンス数照合命令を送信する機能。
（３）遊漁承認者管理システム３１０からの密漁者照合命令を受信後、密漁者／遊漁以外者シルエットＤＢ記憶部３０３を検索し、照合結果が遊漁以外者である場合は遊漁承認者管理システム３１０に非密漁者信号を送信する機能。
（４）遊漁承認者管理システム３１０からの密漁者照合命令を受信後、密漁者／遊漁以外者シルエットＤＢ記憶部３０３を検索し、照合結果が遊漁者である場合は遊漁承認者管理システム３１０に密漁者信号を送信する機能。
【００４６】
遊漁承認者管理システム３１０の処理装置３１１はサーバ等の情報処理装置であり、プログラム制御で動作し、次の機能を有する。
（１）人物／動物識別システム３００からの遊漁承認者照合命令を受信し、源流・渓谷監視装置２０に受信確認命令を送信する機能。
（２）人物／動物識別システム３００からの遊漁承認者ライセンス数照合命令を受信し、源流・渓谷監視装置２０に受信確認命令を送信する機能。
（３）源流・渓谷監視装置２０からの承認番号を受信後、ユーザＤＢ記憶部３１２を検索し、遊漁承認者の照合結果を監視画面として表示装置３１５に表示する機能。
（４）源流・渓谷監視装置２０からの承認番号を受信後、ユーザＤＢ記憶部３１２を検索し、密漁者の照合結果を監視画面として表示装置３１５に表示する機能。
（５）源流・渓谷監視装置２０からの承認番号を受信後、ユーザＤＢ記憶部３１２を検索し、遊漁承認者管理システム３１０に承認期間照合命令を送信する機能。
【００４７】
（６）源流・渓谷監視装置２０からのＮＧ信号を受信し、人物／動物識別システム３００に密漁者照合命令を送信する機能。
（７）人物／動物識別システム３００からの非密漁者信号を受信後、遊漁以外者の照合結果を監視画面として表示装置３１５に表示する機能。
（８）人物／動物識別システム３００からの密漁者信号を受信後、密漁者の照合結果を監視画面として表示装置３１５表示する機能。
【００４８】
人物／動物シルエットＤＢ記憶部３０２には人物／動物のシルエット情報を、システム構築時に格納しており、図６にデータの一部を示す。
【００４９】
密漁者／遊漁以外者シルエットＤＢ記憶部３０３には、釣り竿、漁網、びく等の漁具を携えた遊漁者のシルエット情報と漁具を携えない遊漁以外者のシルエット情報をシステム構築時に格納しており、図７にデータの一部を示す。
【００５０】
ユーザＤＢ記憶部３１２には遊漁承認時に登録した情報を格納している。
【００５１】
即ち、利用者１０の内、遊漁承認者情報が格納されている。図８にデータの一部を示す。
【００５２】
巡回前情報ＤＢ記憶部３１３には監視画面に表示する巡回前情報の各パターンを、システム構築時に格納しており、処理装置３１１が判断結果に応じたパターンを読み出し表示要素とする。
【００５３】
図９に各パターンのデータを示す。
【００５４】
地図情報ＤＢ記憶部３１４には監視画面に表示する地図情報を、システム構築時に格納しており、図１０にデータの一部を示す。
【００５５】
次に、本発明を実施するための最良の形態の動作について図面を参照して説明する。
【００５６】
図１１は、本発明の基本動作を示すフローチャートである。
【００５７】
図１１を参照し、人物又は動物が源流・渓谷監視装置２０に接近する（ステップ１）。
【００５８】
接近センサ２１で接近物を検知する（ステップ２）。
【００５９】
サーモグラフィ監視カメラ２２が撮影を開始する（ステップ３）。
【００６０】
源流・渓谷監視装置２０は取得した映像情報を、インターネット１００を介して漁業協同組合システム３０の人物／動物識別システム３００に送信する（ステップ４）。
【００６１】
人物／動物識別システム３００は受信した映像情報が人物一人であるか人物複数であるか動物であるかを判断するため、受信した映像情報で人物／動物シルエットＤＢ記憶部３０２を検索する（各シルエットと照合する）（ステップ５）。
【００６２】
人物／動物識別システム３００が受信した映像を動物と判断した場合、その映像は無視する（ステップ６）。
【００６３】
人物／動物識別システム３００が受信した映像を人物一人と判断した場合、人物の遊漁承認者照合命令を遊漁承認者管理システム３１０に送信する（ステップ７）。
【００６４】
遊漁承認者管理システム３１０はインターネット１００を介して、人物が所持しているべき遊漁承認証デバイス１１から、承認番号が発信されているかどうかの受信確認命令を源流・渓谷監視装置２０に送信する（ステップ８）。
【００６５】
源流・渓谷監視装置２０の受信機２３は遊漁承認証デバイス１１からの承認番号受信待ち状態になる（ステップ９）。
【００６６】
遊漁承認証デバイス１１が承認番号を発信する（ステップ１０）。
【００６７】
源流・渓谷監視装置２０は受信機２３で承認番号を受信確認できた場合、遊漁承認者管理システム３１０に承認番号を送信する（ステップ１１）。
【００６８】
遊漁承認者管理システム３１０は受信した承認番号でユーザＤＢ記憶部３１２を検索する（ステップ１２）。
【００６９】
遊漁承認者管理システム３１０は承認開始日から計算して現在日が有効期間１年内であれば承認期間内とし、人物の利用者１０を遊漁承認者と判断して監視状況を監視画面に表示する（ステップ１３）。
【００７０】
遊漁承認者管理システム３１０は承認開始日から計算して現在日が有効期間１年以上であれば承認期間切れとし、人物の利用者１０を密漁者と判断して監視状況を監視画面に表示する。例えば図１６の画面を表示する（ステップ１４）。
【００７１】
次に源流・渓谷監視装置２０が受信機２３で一定時間経過しても承認番号を受信確認できない場合について記述する。
【００７２】
図１２のフローチャートを参照し、源流・渓谷監視装置２０はインターネット１００を介して、遊漁承認者管理システム３１０にＮＧ（Ｎｏ  Ｇｏｏｄ）信号を送信する（ステップ１６）。
【００７３】
遊漁承認者管理システム３１０はＮＧ信号を受信後、密漁者照合命令を人物／動物識別システム３００に送信する（ステップ１７）。
【００７４】
人物／動物識別システム３００は受信済みの映像情報で密漁者／遊漁以外者シルエットＤＢ記憶部３０３を検索する（各シルエットと照合する）（ステップ１８）。
【００７５】
人物／動物識別システム３００は人物が漁具を携えていないシルエットと合致すれば、遊漁承認者管理システム３１０に非密漁者信号を送信する（ステップ１９）。
【００７６】
遊漁承認者管理システム３１０は非密漁者信号を受信後、人物の利用者１０を山菜採りや紅葉狩り等の遊漁以外者と判断して監視状況を監視画面に表示する（ステップ２０）。
【００７７】
次に図１２と図１３を参照し、人物／動物識別システム３００のシルエット判断が密漁者時の場合について記述する。
【００７８】
人物／動物識別システム３００は人物が漁具を携えているシルエットと合致すれば、遊漁承認者管理システム３１０に密漁者信号を送信する（ステップ２１）。
【００７９】
遊漁承認者管理システム３１０は遊漁者信号を受信後、人物の利用者１０を密漁者と判断して監視状況を監視画面に表示する。例えば図１７の画面を表示する（ステップ２２）。
【００８０】
次に図１１と図１４を参照し、人物／動物識別システム３００のシルエット判断が複数人の場合について記述する。
【００８１】
人物／動物識別システム３００は複数人存在することをシルエット照合し、人数を確定する（ステップ２３）。
【００８２】
遊漁承認者管理システム３１０に遊漁承認者ライセンス数照合命令を送信する。確定人数情報を含む送信内容である（ステップ２４）。
【００８３】
遊漁承認者管理システム３１０はインターネット１００を介して、人物が所持しているべき遊漁承認証デバイス１１から承認番号が発信され、ライセンス数を確認できるかどうかの受信確認命令を源流・渓谷監視装置２０に送信する（ステップ２５）。
【００８４】
源流・渓谷監視装置２０の受信機２３は遊漁承認証デバイス１１からの承認番号受信待ち状態になる（ステップ２６）。
【００８５】
遊漁承認証デバイス１１が承認番号を発信する（ステップ２７）。
【００８６】
源流・渓谷監視装置２０は受信機２３で承認番号を受信確認できた場合、遊漁承認者管理システム３１０に承認番号を送信する（ステップ２８）。
【００８７】
遊漁承認者管理システム３１０は受信した承認番号でユーザＤＢ記憶部３１２を検索する（ステップ２９）。
【００８８】
遊漁承認者管理システム３１０は人物／動物識別システム３００から受信済みである確定人数情報と、ライセンス数を計算して人数がライセンス内であれば承認期間確認命令を送信する（ステップ３０）。
【００８９】
遊漁承認者管理システム３１０は人物／動物識別システム３００から受信済みである確定人数情報と、ライセンス数を計算して人数がライセンスオーバーであれば人物の利用者１０を密漁者と判断して監視状況を監視画面に表示する（ステップ３１）。
【００９０】
最後に漁場監視員は漁業協同組合システム３０の遊漁承認者管理システム３１０の監視画面表示から、遊漁承認者か密漁者か、また遊漁以外者かの情報を事前入手して本発明は終了する（ステップ１５）。
【００９１】
図１５に、事前情報一覧表示の画面の一例を示す。
【００９２】
図１６に、事前情報個別表示で人物が承認期間切れ遊漁承認証を所持時の画面の一例を示す。
【００９３】
この画面は、判定結果で巡回前情報ＤＢ記憶部３１３を引き、該当するパターンに判定した映像を送ってきた源流・渓谷監視装置２０の設置地区名を追記した情報と、地図情報ＤＢ記憶部３１４の情報に前記設置地区名対応の位置にマークを追加した情報と、ユーザ情報ＤＢ記憶部に登録されている遊漁承認者か或いは承認期間外の密漁者の個人情報を表示したものである。
【００９４】
図１７に、事前情報個別表示で人物が遊漁承認証を未所持で漁具有り時の画面の一例を示す。
【００９５】
上記説明では、源流・渓谷監視装置２０が接続されたシステムを、漁業協同組合が運営する漁業協同組合システム３０としたが、これに限定するものでなく、管理組織側のシステムであればよい。
【００９６】
また、源流・渓谷監視装置２０は、源流や渓谷に設置された監視装置に限らず、源流や渓谷のほかに湖沼も含む漁業権の管理対象となる水域に設置された監視装置であればよい。
【図面の簡単な説明】
【００９７】
【図１】本発明の密漁者自動認識システムの全体構成を示すブロック図。
【図２】図１の利用者１０の構成を示す図。
【図３】図１の源流・渓谷監視装置２０の構成図。
【図４】漁業協同組合システム３０の人物／動物識別システム３００の構成図
【図５】漁業協同組合システム３０の遊漁承認者管理システム３１０の構成図
【図６】人物／動物シルエットＤＢ記憶部３０２のデータ例を示す図。
【図７】密漁者／遊漁以外者シルエットＤＢ記憶部３０３の、データ例を示す図。
【図８】ユーザＤＢ記憶部３１２のデータ例を示す図。
【図９】巡回前情報ＤＢ記憶部３１３のデータ例を示す図。
【図１０】地図情報ＤＢ記憶部３１４のデータ例を示す図。
【図１１】本発明の基本動作を示すフローチャート。
【図１２】図１１で、承認番号受信不可と判定した場合の動作を示すフローチャート。
【図１３】図１１で、密漁者（一人）と判定した場合の動作を示すフローチャート。
【図１４】図１１で、人物複数と判定した場合の動作を示すフローチャート。
【図１５】事前情報一覧表示の画面例を示す図。
【図１６】事前情報個別表示で、密漁者（承認期間期限切れ）の画面例を示す図。
【図１７】事前情報個別表示で、密漁者（一人、遊漁承認証未所持）の画面例を示す図。
【符号の説明】
【００９８】
１０    利用者
１１    遊漁承認証デバイス
２０    源流・渓谷監視装置
２１    無指向性接近センサ
２１    接近センサ
２２    サーモグラフィ監視カメラ
２３    受信機
２４    制御部
３０    漁業協同組合システム
３００    人物／動物識別システム
３０１    処理装置
３０２    人物／動物シルエットＤＢ記憶部
３０３    密漁者／遊漁以外者シルエットＤＢ記憶部
３１０    遊漁承認者管理システム
３１１    処理装置
３１２    ユーザＤＢ記憶部
３１３    巡回前情報ＤＢ記憶部
３１４    地図情報ＤＢ記憶部
３１５    表示装置
１００    インターネット
【図１】
2006268471.tif 000003
【図２】
2006268471.tif 000004
【図３】
2006268471.tif 000005
【図４】
2006268471.tif 000006
【図５】
2006268471.tif 000007
【図６】
2006268471.tif 000008
【図７】
2006268471.tif 000009
【図８】
2006268471.tif 000010
【図９】
2006268471.tif 000011
【図１０】
2006268471.tif 000012
【図１１】
2006268471.tif 000013
【図１２】
2006268471.tif 000014
【図１３】
2006268471.tif 000015
【図１４】
2006268471.tif 000016
【図１５】
2006268471.tif 000017
【図１６】
2006268471.tif 000018
【図１７】
2006268471.tif 000019